(57)【要約】      （修正有）【課題】デザインする側が、容易に色覚障がい者や高齢者もみやすい色をえらぶことができるカラーチャートを提供する。【解決手段】カラーチャートは、色票本体右隅に一般健常者が見えているときの色の絶対値Ｌａｂ値から導いた色１を置き、色票の下には色覚障がい者がどのようにみえているかをシミュレーションした時のＬａｂ値から導いた色２を配し、明度と彩度から導いたゾーンごとに明記する。色票本体右隅、色１のゾーンの値と色票下、色２の値が異なっていれば一般健常者と色覚障がい者とで見えている色が異なると考えられる。次に色覚障がい者が見えているであろうゾーンの値をゾーン表から選び、その位置からタテとヨコに進んだ数を足した距離が色差であり、その値が大きいほど見やすい。後は一定の基準を満たした距離があるゾーンから適当なゾーンを選び、ゾーン早見表のなかでいくつか候補にあがっている色から使用したい色を選んでいけば、一般人にも色覚障がい者にも見やすい色となる。【選択図】図１
0003169061.tif 000002
【実用新案登録請求の範囲】
【請求項１】
色覚障がい者や高齢者など色覚的情報弱者が見やすい色の組み合せを素早く割り出すためにつかうカラーチャートとその早見表がセットとなった書類群。
【請求項２】
明度と彩度をある一定の設定で区分（ゾーングループ化）し、縦のマスメと横のマスメの進んだ数（距離）によって色差をあらわし、それを基に見易さ（見難さ）の判断とする表現方法及び構造
【考案の詳細な説明】
【技術分野】
【０００１】  本考案はユニバーサルデザインカラーチャートに関する。
【背景技術】
【０００２】  従来色覚障がい者や高齢者は遺伝や加齢により見える色域が限られたり全体に暗くなったり、特定の色域が見えづらくなるなど、社会生活上不便を感じていた。【０００３】  一般健常者から“色覚障がい者の人たちも、自分たちも見やすい社会を目指そう”という機運が高まりユニバーサルデザインの観点から“カラーユニバーサルデザイン”と名付けられた。【０００４】  そこから更に“色覚障がい者だけでなく、高齢者や視覚障害者も含めた情報弱者（色覚的情報弱者にかぎらない）に対し情報を伝えることを目的とした“メディアユニバーサルデザイン”がうまれた。
【考案の開示】
【考案が解決しようとする課題】
【０００５】  しかし、情報を伝える側の視点で考えると、例えば色覚的情報弱者がどのように見えていて，どのように改善をすればよいかがわからないと対処に困る。現在ではコンピュータのモニター上でシミュレーションして予測するか，色覚的障がい者から直接聞くなどして改善案を模索する以外ない。しかしこれでは障害者個人の差で変動するため基準を決める必要があり，また、人的負担の増加（金銭的なものも含む）など特定の物以外現実的には困難である。
また、コンピュータを外へ持ち出すことは大変であり，もっと簡易的な判定方法がないとせっかく社会的に意義のある行為も広まらなければ意味をもたない。しかし、現状はデザイナー、しかも専門知識を有している人が技術を駆使して作品を作るしかユニバーサルデザインの作品はつくられない。
【課題を解決するための手段】
【０００６】  そこで、色の基準となるカラーチャートを用いて色のシミュレーションをした結果を計測し絶対的な数値を用いることで、客観的な基準として判定することが出来る。
また、印刷物という携帯しやすい特徴を活かしつつ、人的にも金銭的にも安価で社会的意義のある行為が実現出来る素地をつくることができる。
【考案の効果】
【０００７】  よって、本考案のカラーチャートにより、デザインする際、色をわざわざシミュレーションすることなく見にくい色の組み合せの色を見つけることが容易にでき、デザインを行う上で時間的にもコスト的にも大幅な短縮が見込まれる。
また、今までは“デザイナー”という技能をもっている専門の人しかデザインをしていなかった分野にコンピューターの普及に伴い一般人がデザインをすることに抵抗がなくなった現状を鑑みれば、より素人の人でも簡単にユニバーサルデザインされたものが供給できるようになることに寄与すると考えられる。
【考案を実施するための最良の形態】
【０００８】  本考案にかかるユニバーサルデザインカラーチャートは図１に示すように、色票本体右隅に一般健常者が見えているときの色の絶対値Ｌａｂ値から導いた色▲１▼を置き、色票の下には色覚障がい者がどのようにみえているかをシミュレーションした時のＬａｂ値から導いた色▲２▼を配し，明度と彩度から導いた区分け（ゾーン）ごとに明記されている。【０００９】  色票本体右隅  色▲１▼のゾーンの値と色票下  色▲２▼の値が異なっていれば一般健常者と色覚障がい者とで見えている色が異なると考えられる。（図２）【００１０】  次に色覚障がい者が見えているであろうゾーンの値を図３のゾーン表から選び、その位置からタテとヨコに進んだ数を足した距離が色差であり、その値が大きければ大きいほど見やすい。【００１１】  後は一定の基準を満たした距離があるゾーンから適当なゾーンを選び、ゾーン早見表のなかでいくつか候補にあがっている色から使用したい色を選んでいけば、一般人にも色覚障がい者にも見やすい色となる。（図４）【００１２】  更に、タテに進んだ数を別の条件を満たすようにすれば、一般人にも、色覚障がい者にも、高齢者にも見やすい色を選ぶことが出来る。
【図面の簡単な説明】
【００１３】
【図１】  本考案にかかるユニバーサルデザインカラーチャートの色票部分を抜粋した図である
【図２】  色票部分のゾーンの値が入っている図である。
【図３】  本考案にかかるゾーンの全体図である。
【図４】  本考案にかかるゾーン早見表の一部である
【符号の説明】
【００１４】  ▲１▼一般健常者が見えているときの色のＬａｂ値から導いた色のゾーン値
▲２▼色覚障がい者の見え方をシミュレーションした時のＬａｂ値から導いた色のゾーン値
【図１】
0003169061.tif 000003
【図２】
0003169061.tif 000004
【図３】
0003169061.tif 000005
【図４】
0003169061.tif 000006
【手続補正書】
【提出日】平成22年3月13日(2010.3.13)
【手続補正１】
【補正対象書類名】実用新案登録請求の範囲
【補正対象項目名】全文
【補正方法】変更
【補正の内容】
【実用新案登録請求の範囲】
【請求項１】
色覚障がい者や高齢者など色覚的情報弱者が見やすい色の組み合せを素早く割り出すためにつかうカラーチャートとその早見表がセットとなった書類群。
【請求項２】
明度と彩度をある一定の設定で区分化し、縦のマスメと横のマスメの進んだ数によって色差をあらわし、それを基に見易さの判断材料としうる早見表を特徴とする請求項１記載のＡ。
【手続補正２】
【補正対象書類名】明細書
【補正対象項目名】００３
【補正方法】変更
【補正の内容】
【０００３】一般健常者から“色覚障がい者の人たちも、自分たちも見やすい社会を目指そう”という機運が高まりユニバーサルデザインの観点から“カラーユニバーサルデザイン（登録商標）”と名付けられた。
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
色覚障がい者や高齢者など色覚的情報弱者が見やすい色の組み合せを素早く割り出すためにつかうカラーチャートとその早見表がセットとなった書類群。
【手続補正書】
【提出日】平成22年12月13日(2010.12.13)
【手続補正１】
【補正対象書類名】実用新案登録請求の範囲
【補正対象項目名】全文
【補正方法】変更
【補正の内容】
【実用新案登録請求の範囲】
【請求項１】
色覚障がい者や高齢者など色覚的情報弱者がこう見えているであろう色をシミュレートした結果を色の色票ごとに分類し、見分けづらい色同士の組み合わせや逆に見分けやすい色の組み合せを素早くみつけ出すためにつかうカラーチャート（色票群）とその組み合わせ早見表がセットとなった書類群。
【手続補正書】
【提出日】平成23年4月16日(2011.4.16)
【手続補正１】
【補正対象書類名】実用新案登録請求の範囲
【補正対象項目名】全文
【補正方法】変更
【補正の内容】
【実用新案登録請求の範囲】
【請求項１】
色覚障がい者や高齢者など色覚的情報弱者がこう見えているであろう色をシミュレートした結果を明度と彩度から導き出した色のゾーンごとに分類し、見分けづらい色同士の組み合わせや逆に見分けやすい色の組み合せを素早くみつけ出すためにつかうカラーチャート（色票群）とゾーンに含まれる複数の色の候補が含まれる書類群。